(57)【特許請求の範囲】
【請求項１】
紙幣の差入口および払出口を有する筐体と、前記筐体内に設けられた紙幣収納部および紙幣一時保管部とを備え、
前記紙幣一時保管部は、紙幣を一時的に保管する保管室と、前記保管室内に対して紙幣を出し入れするための紙幣出入り口と、前記紙幣出入り口に設けられた上下一対の紙幣搬送ローラと、下の前記紙幣搬送ローラの軸心方向の両側近傍に回動可能に設けられた一対のコシ付けカラーと、前記一対のコシ付けカラーを回動させる回動機構部とを有し、
前記一対のコシ付けカラーは、前記下の前記紙幣搬送ローラの外周面よりも径方向外方へ突出した突出部と、前記下の紙幣搬送ローラの外周面と同一平面上に並ぶまたは外周面よりも径方向内方へ陥没した陥没部とを有し、
前記上下一対の紙幣搬送ローラにて前記紙幣出入り口から前記保管室内へ紙幣を搬送する際に紙幣の一対の長辺部側に前記突出部を移動させる搬入モードと、前記上下一対の紙幣搬送ローラにて前記保管室内から前記紙幣出入り口へ紙幣を搬送する際に紙幣の一対の長辺部側に前記陥没部を移動させる搬出モードとに切り替わるよう、前記回動機構部にて前記一対のコシ付けカラーを回動させるように構成され、
前記コシ付けカラーは、前記下の紙幣搬送ローラの軸心廻りに回動可能に設けられた板状部材であり、その外周部に前記突出部および前記陥没部が配置されており、
前記紙幣一時保管部は、上下方向に揺動可能に設けられた紙幣押さえ板と、前記紙幣押さえ板を下方へ付勢する付勢部材と、紙幣の搬出を行うキックローラとをさらに備え、
前記コシ付けカラーは、その外周部に前記紙幣押さえ板を押し上げる押し上げ片部を有し、
前記搬出モードに切り替わることにより回動する各コシ付けカラーの前記押し上げ片部によって前記紙幣押さえ板を前記キックローラ側へ押し上げるように構成されたことを特徴とする自動釣銭入出金機。
【請求項２】
前記紙幣一時保管部は、前記保管室の紙幣搬送方向の両側に第１紙幣出入り口および第２紙幣出入り口を有し、さらに、前記第１および第２紙幣出入り口側に、前記上下一対の紙幣搬送ローラと、前記一対のコシ付けカラーとを備える請求項１に記載の自動釣銭入出金機。
【請求項３】
前記コシ付けカラーが円板形である請求項１または２に記載の自動釣銭入出金機。
【発明の詳細な説明】
【技術分野】
【０００１】
本発明は、自動釣銭入出金機に関する。
【背景技術】
【０００２】
従来の紙幣入出金機として、出金時において、出金金額分の紙幣を一時保留部に搬送して集積し、集積した紙幣を束の状態で紙幣返却部に搬送して出金するよう構成されたものがある。このような紙幣入出金機では、一時保留部へ紙幣を１枚ずつ搬送して集積する際、一時保留部内で紙幣が折れ曲がった状態で集積されると集積ジャムが発生し、出金できなくなる不具合を生ずる。
【０００３】
そのため、特許文献１では、一時保留部へ紙幣を１枚ずつ搬送する際に紙幣をＵ形に曲げてコシを付けた状態で紙幣を集積する紙幣入出金機が提案されている。すなわち、この紙幣入出金機は、紙幣を搬送する上下の搬送ベルトと、該上下の搬送ベルトに挟持されて搬送された紙幣を集積し、顧客に受け渡す紙幣返却部とを備えた紙幣入出金機であって、前記上下の搬送ベルトによって紙幣を１枚ずつ搬送するとき、その紙幣の中央付近を押さえるレバーを有し、前記上下の搬送ベルトによって紙幣を束の状態で搬送する場合に、前記レバーを搬送される紙幣の束に接触しない位置に退避させるように構成されている。
【０００４】
特許文献１の紙幣入出金機によれば、レバーで紙幣を押さえることでＵ形に曲げてコシを付けた状態で紙幣を集積するため集積ジャムの発生が防止され、さらに紙幣束を搬送する際はレバーを退避させることで紙幣束の搬送を妨げないようにすることができるとされている。
【先行技術文献】
【特許文献】
【０００５】
【特許文献１】特開２００７−２８０２４７号公報
【発明の概要】
【発明が解決しようとする課題】
【０００６】
特許文献１には、下ベルト部の下搬送ローラを下げることにより、下ベルト部と上ベルト部との間に紙幣集積部となる空間を形成し、その紙幣集積部に紙幣を１枚ずつ集積し、集積した紙幣束を紙幣返却部に搬送する旨記載されているが、紙幣集積部に１枚ずつ送り込むときの紙幣にコシを付けることに関しては検討されていない。
【０００７】
本発明は、このような課題に鑑みてなされたものであり、紙幣一時保管部での紙幣集積および紙幣一時保管部からの紙幣搬出におけるジャムの発生を防止する自動釣銭入出金機を提供することを目的とする。
【課題を解決するための手段】
【０００８】
かくして、本発明によれば、紙幣の差入口および払出口を有する筐体と、前記筐体内に設けられた紙幣収納部および紙幣一時保管部とを備え、
前記紙幣一時保管部は、紙幣を一時的に保管する保管室と、前記保管室内に対して紙幣を出し入れするための紙幣出入り口と、前記紙幣出入り口に設けられた上下一対の紙幣搬送ローラと、下の前記紙幣搬送ローラの軸心方向の両側近傍に回動可能に設けられた一対のコシ付けカラーと、前記一対のコシ付けカラーを回動させる回動機構部とを有し、
前記一対のコシ付けカラーは、前記下の前記紙幣搬送ローラの外周面よりも径方向外方へ突出した突出部と、前記下の紙幣搬送ローラの外周面と同一平面上に並ぶまたは外周面よりも径方向内方へ陥没した陥没部とを有し、
前記上下一対の紙幣搬送ローラにて前記紙幣出入り口から前記保管室内へ紙幣を搬送する際に紙幣の一対の長辺部側に前記突出部を移動させる搬入モードと、前記上下一対の紙幣搬送ローラにて前記保管室内から前記紙幣出入り口へ紙幣を搬送する際に紙幣の一対の長辺部側に前記陥没部を移動させる搬出モードとに切り替わるよう、前記回動機構部にて前記一対のコシ付けカラーを回動させるように構成された自動釣銭入出金機が提供される。
【発明の効果】
【０００９】
本発明の自動釣銭入出金機によれば、次のように搬入モードと搬出モードに切り替わる。
搬入モードにおいては、紙幣出入り口から保管室内へ紙幣を搬送する際の紙幣の一対の長辺部が一対のコシ付けカラーの突出部に摺接する。このとき、紙幣の幅方向の中央部は上下一対の搬送ローラの間を通過するため、紙幣の一対の長辺部が一対のコシ付けカラーの突出部に摺接することで紙幣はＵ形に曲げられてコシを付けられる。これにより、保管室内にコシが付けられた紙幣が１枚ずつ搬入されて集積するため、搬入方向と直交する方向に紙幣が折れ曲がった状態で集積することがなく、集積ジャムが防止される。
搬出モードにおいては、紙幣出入り口へ搬送する際の紙幣の一対の長辺部側に一対のコシ付けカラーの陥没部が移動しているため、紙幣は一対のコシ付けカラーに接触することなく（コシを付けられずに）紙幣出入り口へ向かう。これにより、コシを付けられた紙幣が搬送ローラに引っ掛かってジャムが発生するという不具合を防止することができる。
【図面の簡単な説明】
【００１０】
【図１】本発明の自動釣銭入出金機の実施形態１の内部構造を示す斜視図である。
【図２】実施形態１の自動釣銭入出金機の構成を説明するブロック図である。
【図３】実施形態１における紙幣一時保管部を示す斜視図である。
【図４】実施形態１における紙幣一時保管部を示す正面図である。
【図５】実施形態１における紙幣一時保管部の動作説明図であって、（Ａ）は搬入モード、（Ｂ）は搬出モードである。
【図６】図４の紙幣一時保管部における上下一対の紙幣搬送ローラおよび一対のコシ付けカラーによる搬入モードの状態を示す正面図である。
【図７】図４の紙幣一時保管部における上下一対の紙幣搬送ローラおよび一対のコシ付けカラーによる搬出モードの状態を示す正面図である。
【図８】実施形態１における紙幣一時保管部の別の動作説明図であって、（Ａ）は搬入モード、（Ｂ）は搬出モードである。
【発明を実施するための形態】
【００１１】
本発明の自動釣銭入出金機は、紙幣の差入口および払出口を有する筐体と、前記筐体内に設けられた紙幣収納部および紙幣一時保管部とを備え、
前記紙幣一時保管部は、紙幣を一時的に保管する保管室と、前記保管室内に対して紙幣を出し入れするための紙幣出入り口と、前記紙幣出入り口に設けられた上下一対の紙幣搬送ローラと、下の前記紙幣搬送ローラの軸心方向の両側近傍に回動可能に設けられた一対のコシ付けカラーと、前記一対のコシ付けカラーを回動させる回動機構部とを有し、
前記一対のコシ付けカラーは、前記下の前記紙幣搬送ローラの外周面よりも径方向外方へ突出した突出部と、前記下の紙幣搬送ローラの外周面と同一平面上に並ぶまたは外周面よりも径方向内方へ陥没した陥没部とを有し、
前記上下一対の紙幣搬送ローラにて前記紙幣出入り口から前記保管室内へ紙幣を搬送する際に紙幣の一対の長辺部側に前記突出部を移動させる搬入モードと、前記上下一対の紙幣搬送ローラにて前記保管室内から前記紙幣出入り口へ紙幣を搬送する際に紙幣の一対の長辺部側に前記陥没部を移動させる搬出モードとに切り替わるよう、前記回動機構部にて前記一対のコシ付けカラーを回動させるように構成されている。
【００１２】
本発明の自動釣銭入出金機は、次のように構成されてもよく、それらが適宜組み合わされてもよい。
（１）前記コシ付けカラーは、前記下の紙幣搬送ローラの軸心廻りに回動可能に設けられた板状部材であり、その外周部に前記突出部および前記陥没部が配置されてもよい。
このようにすれば、コシ付けカラーを薄型化し設置スペースの省スペース化を図ることができる。
【００１３】
（２）前記紙幣一時保管部は、上下方向に揺動可能に設けられた紙幣押さえ板と、前記紙幣押さえ板を下方へ付勢する付勢部材と、紙幣の搬出を行うキックローラとをさらに備え、
前記コシ付けカラーは、その外周部に前記紙幣押さえ板を押し上げる押し上げ片部を有し、
前記搬出モードに切り替わることにより回動する各コシ付けカラーの前記押し上げ片部によって前記紙幣押さえ板を前記キックローラ側へ押し上げるように構成されてもよい。
このようにすれば、搬入モードから搬出モードに切り替わる際に、コシ付けカラーの回動と押し上げ片部の上方への揺動を連動させることができる。
【００１４】
（３）前記紙幣一時保管部は、前記保管室の紙幣搬送方向の両側に第１紙幣出入り口および第２紙幣出入り口を有し、さらに、前記第１および第２紙幣出入り口側に、前記上下一対の紙幣搬送ローラと、前記一対のコシ付けカラーと、上下方向に揺動可能に設けられた紙幣押さえ板と、前記紙幣押さえ板を下方へ付勢する付勢部材と、紙幣の搬出を行うキックローラとを備え、
前記コシ付けカラーは、その外周部に前記紙幣押さえ板を押し上げる押し上げ片部を有し、
前記搬出モードに切り替わることにより回動する各コシ付けカラーの前記押し上げ片部によって前記紙幣押さえ板を前記キックローラ側へ押し上げるように構成されてもよい。
【００１５】
このようにすれば、搬入モードから搬出モードに切り替わる際に、コシ付けカラーの回動と押し上げ片部の上方への揺動を連動させることができる。
それに加え、保管室の紙幣搬送方向の両側に第１紙幣出入り口および第２紙幣出入り口を有することから、紙幣一時保管部に対する第１紙幣出入り口からの紙幣の出し入れと、紙幣一時保管部に対する第２紙幣出入り口からの紙幣の出し入れとが可能となる。これにより、入金処理および出金処理を集積ジャムを生じることなく迅速に行うための紙幣搬送経路の設計の自由度が向上する。
（４）前記コシ付けカラーが円板形であってもよい。
この場合、コシ付けカラーの円の中心が下の紙幣搬送ローラの軸心からずれるようにすればよい。このようにすれば、円板形のコシ付けカラーの外周面上の一部を突出部とし他部を陥没部とすることが可能となる。なお、コシ付けカラーの形状は円形を含む様々な形状に設計することが可能である。
【００１６】
以下、図面を参照しながら本発明の自動釣銭入出金機の実施形態を詳説する。
【００１７】
（実施形態１）
＜自動釣銭入出金機の構成について＞
図１は本発明の自動釣銭入出金機の実施形態１の内部構造を示す斜視図であり、図２は実施形態１の自動釣銭入出金機の構成を説明するブロック図である。
図１および２に示すように、この自動釣銭入出金機（自動釣銭機）１００は、紙幣の差入口１１および払出口１２を有する筐体（自動釣銭入出金機本体）１０と、筐体１０内に設けられた紙幣収納部２０および紙幣一時保管部３０と、紙幣一時保管部３０と紙幣収納部２０との間に設けられた紙幣搬送部４０と、筐体１０に設けられた硬貨の投入口１３、払出口１４および硬貨収納部５０とを備える。
【００１８】
なお、図示しないが、この自動釣銭入出金機１００は、差入口１１に挿入された紙幣の金種を識別する紙幣識別部と、投入口１３に通入された硬貨を硬貨収納部５０へ搬送する硬貨搬送部と、硬貨搬送部の途中に設けられて硬貨の金種を識別する硬貨識別部と、紙幣識別部、紙幣収納部２０、紙幣一時保管部３０、紙幣搬送部４０、紙幣搬送部、硬貨識別部、硬貨収納部および硬貨搬送部等と接続される制御部とをさらに備える。
【００１９】
紙幣収納部２０は、金種の異なる複数種類の紙幣、例えば、一万円札、五千円札および千円札を収納する第１、第２および第３紙幣収納部２１、２２、２３を上下３段で備え、釣銭頻度が最も高い千円札を収納する第３紙幣収納部２３が最も広いスペースを有し、一万円札を収納する第１紙幣収納部２１が最も狭いスペースを有する。
【００２０】
紙幣搬送部４０は、複数の紙幣搬送ローラが設けられた搬送通路と、第１〜第３紙幣収納部２１〜２３のうちのいずれか１つまたは払出口１２へ紙幣が搬送されるように搬送通路を切り換える搬送通路切換機構とを有する。
【００２１】
制御部は、紙幣識別部からの紙幣識別信号を受信し、紙幣識別信号に応じて第１〜第３紙幣収納部２１〜２３のうちのいずれか１つへ紙幣を搬送する入金搬送指令信号を紙幣一時保管部３０、紙幣搬送部４０等へ送信し、釣銭が必要となったときに所定の紙幣収納部から紙幣を払出口１２へ搬送するよう紙幣一時保管部３０、紙幣搬送部４０等へ出金搬送指令信号を送信するように構成されている。
【００２２】
図３は実施形態１における紙幣一時保管部を示す斜視図であり、図４は実施形態１における紙幣一時保管部を示す正面図である。また、図５は実施形態１における紙幣一時保管部の動作説明図であって、（Ａ）は搬入モード、（Ｂ）は搬出モードである。また、図６は図４の紙幣一時保管部における上下一対の紙幣搬送ローラおよび一対のコシ付けカラーによる搬入モードの状態を示す正面図であり、図７は図４の紙幣一時保管部における上下一対の紙幣搬送ローラおよび一対のコシ付けカラーによる搬出モードの状態を示す正面図である。また、図８は実施形態１における紙幣一時保管部の別の動作説明図であって、（Ａ）は搬入モード、（Ｂ）は搬出モードである。
【００２３】
紙幣一時保管部３０は、紙幣を一時的に保管する保管室３１と、保管室３１内に対して紙幣を出し入れするための紙幣出入り口と、第１および第２紙幣出入り口にそれぞれ設けられた上下一対の紙幣搬送ローラ３２、３３と、一方の紙幣搬送ローラ３３の軸心Ｐ方向の両側近傍に回動可能に設けられた一対のコシ付けカラー３４と、一対のコシ付けカラー３４を回動させる回動軸３５を有する回動機構部とを有する。
【００２４】
実施形態１の場合、紙幣一時保管部３０は、保管室３１における軸心Ｐ方向と直交する紙幣搬送方向（矢印Ａ方向）の両側に第１紙幣出入り口３１ａおよび第２紙幣出入り口３１ｂを有し、さらに、第１および第２紙幣出入り口３１ａ、３１ｂ側に、前記上下一対の紙幣搬送ローラ３２、３３と、前記一対のコシ付けカラー３４とを備えている。
【００２５】
さらに、紙幣一時保管部３０は、第１および第２紙幣出入り口３１ａ、３１ｂ側に、上下方向に揺動可能に設けられた紙幣押さえ板３６、３７と、紙幣押さえ板３６、３７を下方へ付勢する付勢部材Ｓと、上の紙幣搬送ローラ３２よりも紙幣搬送方向（矢印Ａ方向）の内側に設けられて紙幣の搬出を行うキックローラ３８とを備えている。
【００２６】
保管室３１の第１および第２紙幣出入り口３１ａ、３１ｂ側において、上の紙幣搬送ローラ（駆動ローラ）３２およびキックローラ３８は、保管室３１の上部に回動可能に設けられており、これらはベルトおよびプーリーまたはギア等の連動機構によって同じ回転方向に連動する。実施形態１の場合、上の紙幣搬送ローラ３２およびキックローラ３８の一方は、正逆回転可能な図示しないモータにて回転駆動されるが、それらを個別のモータで回転駆動するようにしてもよく、キックローラ３８は搬出方向のみに回転させるようにしてもよい。
【００２７】
保管室３１の第１および第２紙幣出入り口３１ａ、３１ｂ側において、前記回動機構部を構成する回動軸３５は保管室３１の下部に回動可能に設けられており、この回動軸３５に対して回転自在に下の紙幣搬送ローラ（従動ローラ）３３が取り付けられている。なお、下の紙幣搬送ローラ３３は外周面の幅方向中央部に凹周溝を有しており、凹周溝の両側の外周面が上の紙幣搬送ローラ３２の外周面と接触している。
【００２８】
コシ付けカラー３４は、下の紙幣搬送ローラ３３の軸心Ｐ廻りに回動可能に設けられた板状部材であり、その外周部に後述する突出部３４ａ、陥没部３４ｂおよび押し上げ片部３４ｃを有する不定形に形成されている。
【００２９】
コシ付けカラー３４において、突出部３４ａは下の紙幣搬送ローラ３３の外周面よりも径方向外方へ突出し（図５（Ａ）、図６参照）、突出部３４ａと隣接する陥没部３４ｂは下の紙幣搬送ローラ３３の外周面３３ａと同一平面上に並ぶ（図７参照）または外周面３３ａよりも径方向内方へ陥没している（図５（Ｂ）参照）。
また、コシ付けカラー３４において、押し上げ片部３４ｃは、突出部３４ａおよび陥没部３４ｂから離れた位置に、かつ下の紙幣搬送ローラ３３の外周面よりも径方向外方へ突出して設けられている。
【００３０】
このように構成されたコシ付けカラー３４は、下の紙幣搬送ローラ３３の軸心Ｐ方向両側の回動軸３５に取り付けられており、後述する搬入モードと搬出モードのいずれか一方に切り替わることにより回動軸３５と共に回動し、押し上げ片部３４ｃによって紙幣押さえ板３６（または紙幣押さえ板３７）をキックローラ３８側へ押し上げるように構成されている。なお、回動軸３５は、前記回動機構部を構成する正逆回転可能なモータ（図示省略）にて回転駆動される。
【００３１】
第１紙幣出入り口３１ａ側に設けられた紙幣押さえ板３６は、保管室３１の底部に矢印Ａ方向と直交する方向に、かつ第２紙幣出入り口３１ｂ側に設けられた固定軸３９ａに揺動可能に取り付けられている。
第２紙幣出入り口３１ｂ側に設けられた紙幣押さえ板３７は、保管室３１の底部に矢印Ａ方向と直交する軸心Ｐ方向に、かつ第１紙幣出入り口３１ａ側に設けられた固定軸３９ｂに揺動可能に取り付けられている。
【００３２】
さらに詳しく説明すると、一方の紙幣押さえ板３６は、下方へ折れ曲がる先端部３６ａと、先端部３６ａの軸心Ｐ方向の長さの略半分の幅で矢印Ａ方向に延びる基端部３６ｂとを有するＬ形に形成されている。他方の紙幣押さえ板３７は、下方へ折れ曲がる先端部３７ａと、先端部３７ａの軸心Ｐ方向の長さの略半分の幅で矢印Ａ方向に延びる基端部３７ｂとを有するＬ形に形成されている。
【００３３】
これらの紙幣押さえ板３６、３７において、先端部３６ａ、３７ａはそれらが対向する一対のコシ付けカラー３４の押し上げ片部３４ｃと当接し、基端部３６ｂ、３７ｂは軸心Ｐ方向に隣接して配置されている。また、付勢部材Ｓとしてのねじりコイルバネが固定軸３９ａ、３９ｂに挿通して取り付けられており、各付勢部材Ｓによって各紙幣押さえ板３６、３７の先端部３６ａ、３７ａが各コシ付けカラー３４の押し上げ片部３４ｃへ押し付けられている。
【００３４】
＜自動釣銭入出金機の動作について＞
この自動釣銭入出金機１００は次のように動作する。
まず、差込口１１に紙幣が差し込まれた入金時において、第１紙幣出入り口３１ａ側の回動軸３５を有する回動機構部は、図５（Ａ）および図６に示すように、上下一対の紙幣搬送ローラ３２、３３にて紙幣出入り口３１ａから保管室３１内へ紙幣Ｍを搬送する際に紙幣Ｍの一対の長辺部ｍ1側に一対のコシ付けカラー３４の突出部３４ａを移動させた状態の搬入モードになっている。このとき、第２紙幣出入り口３１ｂ側の回動軸を有する回動機構部も同じく搬入モードになっている。すなわち、この搬入モードにおいて、各コシ付けカラー３４の突出部３４ａは上方に位置し、各コシ付けカラー３４の押し上げ片部３４ｃは保管室３１の底部側に位置し、各紙幣押さえ板３６、３７は水平状態となっている。
【００３５】
この搬入モードにおいて、第１紙幣出入り口３１ａ側の上の紙幣搬送ローラ３２が搬入方向に回転し、上下の紙幣搬送ローラ３２、３３の間を紙幣Ｍが通過する際、紙幣Ｍの一対の長辺部ｍ1の下面が一対のコシ付けカラー３４の突出部３４ａ上を摺接する。このとき、各コシ付けカラー３４の突出部３４ａは下の紙幣搬送ローラ３３よりも上方に位置しているため、紙幣Ｍの一対の長辺部ｍ1を少し上方へ湾曲させた状態、すなわち紙幣Ｍにコシを付けた状態となる。
【００３６】
このようにして紙幣Ｍはコシを付けられた状態で保管室３１内の紙幣押さえ板３６、３７上に１枚ずつ搬入されて集積する。これにより、保管室３１内で紙幣が折れ曲がって集積して集積ジャムが発生するという不具合が防止される。
【００３７】
保管室３１内に集積した紙幣Ｍは一時的に保管されているため、紙幣一時保管部３０が入金時の搬入モードから次に説明する入金時の搬出モードに切り替わり、紙幣Ｍが１枚ずつ紙幣搬送部４０へ搬出され、第１〜第３紙幣収納部２１〜２３のうちの金種に応じた紙幣収納部へ搬送される。
【００３８】
すなわち、図５（Ｂ）および図７に示すように、第２紙幣出入り口３１ｂ側の回動機構部の回動軸３５が回動し、それによって一対のコシ付けカラー３４が回動する。これにより、一対のコシ付けカラー３４の押し上げ片部３４ｃが、第２紙幣出入り口３１ｂ側の紙幣押さえ板３７の先端部３７ａを押し上げ、紙幣押さえ板３７上の集積紙幣がキックローラ３８に押し付けられる。この状態が入金時の搬出モードである。
【００３９】
搬出モードに切り替わると、上の紙幣搬送ローラ３２およびキックローラ３８が搬出方向に回転し、それにより紙幣押さえ板３７上の集積紙幣の最上位置の紙幣Ｍが上下一対の紙幣搬送ローラ３２、３３の間を通って紙幣搬送部４０へ送られる。このとき、一対のコシ付けカラー３４の陥没部３４ｂが、移動する紙幣Ｍの一対の長辺部ｍ1側に移動しているため、紙幣Ｍはコシ付けカラー３４に摺接することがない。
【００４０】
そのため、紙幣Ｍはコシ付けカラー３４によってコシを付けられることなく平坦な状態で紙幣搬送部４０へ送られ、紙幣搬送部４０における紙幣Ｍのジャムが防止される。そして、このようにして紙幣押さえ板３７上の集積紙幣が１枚ずつ紙幣搬送部４０へ送られ、各紙幣Ｍはそれらの金種に応じた第１〜第３紙幣収納部２１〜２３のいずれかに収納される。
【００４１】
図８は実施形態１における紙幣一時保管部の別の動作説明図であって、（Ａ）は搬入モード、（Ｂ）は搬出モードである。
紙幣一時保管部３０内から全ての紙幣Ｍが紙幣搬送部４０へ搬出されると、紙幣一時保管部３０は、図５（Ａ）および図８（Ａ）に示す搬入モードに切り替わり、次の入金または出金に対応できるよう待機する。
【００４２】
出金の場合、紙幣収納部２０に収納された紙幣が、紙幣搬送部４０を経由して搬入モードの紙幣一時保管部３０へ送られる。このとき、図６および図８（Ａ）に示すように、第２紙幣出入り口３１ｂ側の上の紙幣搬送ローラ３２が搬入方向に回転し、上下の紙幣搬送ローラ３２、３３の間を紙幣Ｍが通過する際、紙幣Ｍの一対の長辺部ｍ1の下面が一対のコシ付けカラー３４の突出部３４ａ上を摺接し、紙幣Ｍにコシが付けられる。これにより、紙幣Ｍはコシを付けられた状態で保管室３１内の紙幣押さえ板３６、３７上に１枚ずつ搬入されて集積するため、保管室３１内で紙幣が折れ曲がって集積して集積ジャムが発生するという不具合が防止される。
【００４３】
出金すべき紙幣Ｍが全て保管室３１内に搬入された後、紙幣一時保管部３０が出金時の搬入モードから出金時の搬出モードに切り替わる。すなわち、図７および図８（Ｂ）に示すように、第１紙幣出入り口３１ａ側の回動機構部の回動軸３５が回動し、それによって一対のコシ付けカラー３４が回動する。これにより、一対のコシ付けカラー３４の押し上げ片部３４ｃが、第１紙幣出入り口３１ａ側の紙幣押さえ板３６の先端部３６ａを押し上げ、紙幣押さえ板３６上の集積紙幣がキックローラ３８に押し付けられる。この状態が出金時の搬出モードである。
【００４４】
搬出モードに切り替わると、上の紙幣搬送ローラ３２およびキックローラ３８が搬出方向に回転し、それにより紙幣押さえ板３６上の集積紙幣の最上位置の紙幣Ｍが上下一対の紙幣搬送ローラ３２、３３の間を通って払出口１２へ通じる図示しない紙幣搬送路へ送られる。このとき、一対のコシ付けカラー３４の陥没部３４ｂが、移動する紙幣Ｍの一対の長辺部ｍ1側に移動しているため、紙幣Ｍはコシ付けカラー３４に摺接することがない。
【００４５】
そのため、紙幣Ｍはコシ付けカラー３４によってコシを付けられることなく平坦な状態で紙幣搬送路へ送られ、紙幣搬送路における紙幣Ｍのジャムが防止される。そして、このようにして紙幣押さえ板３６上の集積紙幣が１枚ずつ紙幣搬送路へ送られ、各紙幣Ｍは紙幣搬送路と払出口１２との間に設けられた図示しない紙幣集積部に送られて集積し、紙幣集積部の集積紙幣が一括して払出口１２から出金される。あるいは、紙幣集積部での紙幣の集積が完了した後に、払出口１２を覆うシャッターが開く。
【００４６】
（実施形態２）
実施形態１では、紙幣搬送方向（矢印Ａ方向）の両側に第１および第２紙幣出入り口３１ａ、３１ｂを有し、第１および第２紙幣出入り口３１ａ、３１ｂ側の両方から紙幣Ｍが出入りできるように構成された紙幣一時保管部３０を備えた自動釣銭入出金機１００を例示したが、第１および第２紙幣出入り口３１ａ、３１ｂのいずれか一方の出入り口を封鎖し、他方の出入り口のみから紙幣を出入りさせるように紙幣一時保管部を構成してもよい。
【００４７】
これにより、第１および第２紙幣出入り口３１ａ、３１ｂの両方に設けられている紙幣搬送ローラ３２、３３、キックローラ３８、コシ付けカラー３４、紙幣押さえ板３６、３７、付勢部材Ｓ、モータ等の部品点数を半減させることができる。なお、この場合、紙幣一時保管部の一つの紙幣出入り口に紙幣の差込口、払出口および紙幣収納部等が接続されるように紙幣搬送路を構成する。
【００４８】
（実施形態３）
実施形態１および２において、コシ付けカラーを円板形とし、その円の中心が回動軸３５の軸心Ｐからずれるようにしてコシ付けカラーを回動軸３５に固定してもよい。このようにすれば、円板形のコシ付けカラーの外周面上の一部を突出部とし他部を陥没部とすることが可能となる。したがって、本発明において、コシ付けカラーの突出部および陥没部は、下の紙幣搬送ローラの外周面上部に対して突出する部位および陥没する部位であり、実際に突出した形状および陥没した形状であることに限定されるものではない。
【００４９】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５０】
１０  筐体（自動釣銭入出金機本体）
１１  差入口
１２  払出口
２０  紙幣収納部
３０  紙幣一時保管部
３１  保管室
３１ａ  第１紙幣出入り口
３１ｂ  第２紙幣出入り口
３２、３３  紙幣搬送ローラ
３３ａ  外周面
３４  コシ付けカラー
３４ａ  突出部
３４ｂ  陥没部
３４ｃ  押し上げ片部
３６、３７  紙幣押さえ板
３８  キックローラ
１００  自動釣銭入出金機
Ｍ  紙幣
ｍ1  長辺部
Ｐ  軸心
Ｓ  付勢部材
【図１】
0006664245.tif 000002
【図２】
0006664245.tif 000003
【図３】
0006664245.tif 000004
【図４】
0006664245.tif 000005
【図５】
0006664245.tif 000006
【図６】
0006664245.tif 000007
【図７】
0006664245.tif 000008
【図８】
0006664245.tif 000009